(57)【要約】【課題】小量の炭酸ガスを用いて高濃度の炭酸泉を生成することができる、炭酸ガスの溶解効率に優れた炭酸ガス溶解器を提供する。【解決手段】温水を導入するための温水導入管３１と、温水導入管３１に接続された炭酸ガス導入管３２と、温水導入管３１における炭酸ガス導入管３２の接続位置よりも下流側に接続された溶解器本体３３と、溶解器本体３３によって炭酸ガスを溶解させた温水を導出するための温水導出管３６とを備え、溶解器本体３３は、連結された複数の溶解ユニットを有しており、溶解ユニットは、上流側に流入穴ＩＨが、下流側に流出穴ＯＨがそれぞれ形成され、流入穴ＩＨから炭酸ガスと共に温水が流入した後、流出穴ＯＨから流出する溶解処理室３４と、流出穴ＯＨに連通するように、一端が溶解処理室３４内の下流側に接続され、他端が溶解処理室３４内において上流側に張り出す小径の流出管３５とを有している。【選択図】        図３
2013150661.tif 000002
【特許請求の範囲】
【請求項１】
炭酸ガスを温水に溶解させる炭酸ガス溶解器であって、
温水を導入するための温水導入管と、
前記温水導入管に接続された、炭酸ガスを導入するための炭酸ガス導入管と、
前記温水導入管における前記炭酸ガス導入管の接続位置よりも下流側に接続された、炭酸ガスを温水に溶解させる溶解器本体と、
前記溶解器本体によって炭酸ガスを溶解させた温水を導出するための温水導出管とを備え、
前記溶解器本体は、連結された複数の溶解ユニットを有しており、
前記溶解ユニットは、上流側に流入穴が、下流側に流出穴がそれぞれ形成され、前記流入穴から炭酸ガスと共に温水が流入した後、前記流出穴から流出する溶解処理室と、前記流出穴に連通するように、一端が前記溶解処理室内の下流側に接続され、他端が前記溶解処理室内において上流側に張り出す小径の流出管とを有していることを特徴とする炭酸ガス溶解器。
【請求項２】
前記炭酸ガス導入管は、前記温水導入管における温水の流れ方向の下流側に向かって
斜めに接続されている請求項１に記載の炭酸ガス溶解器。
【請求項３】
浴槽に貯留された温水を循環させる温水循環路及び循環ポンプと、
前記温水循環路の途中において、前記温水導入管が前記温水循環路の上流側に、前記温水導出管が前記温水循環路の下流側にそれぞれ接続された請求項１または２に記載の炭酸ガス溶解器と、
前記炭酸ガス溶解器の前記炭酸ガス導入管に接続された炭酸ガスボンベと
を備えていることを特徴とする風呂用炭酸泉生成システム。
【請求項４】
末端にカランまたはシャワー装置が接続される温水供給管と、
前記温水供給管の途中において、前記温水導入管が前記温水供給管の上流側に、前記温水導出管が前記温水供給管の下流側にそれぞれ接続された請求項１または２に記載の炭酸ガス溶解器と、
前記炭酸ガス溶解器の前記炭酸ガス導入管に接続された炭酸ガスボンベと
を備えていることを特徴とする炭酸泉生成供給システム。
【発明の詳細な説明】
【技術分野】
【０００１】
この発明は、炭酸ガスを温水に溶解させる炭酸ガス溶解器及びその炭酸ガス溶解器を用いた風呂用炭酸泉生成システム及び炭酸泉生成供給システムに関する。
【背景技術】
【０００２】
４０℃程度のお湯に炭酸ガスが溶け込んだ炭酸泉に入浴すると、炭酸泉に含まれている炭酸ガスが経皮吸収されることにより、毛細血管が開いて血行がよくなり、疲労回復効果や健康増進効果が期待できると共に、弱酸性の炭酸泉は、肌の引き締め作用による美肌効果、キューティクルの引き締め作用による美髪効果、頭皮の血行促進による発毛・育毛促進効果等が期待できるので、近年では、炭酸泉を人工的に生成して浴槽に供給する風呂用炭酸泉生成システムや、炭酸泉を生成しながらシャワーやカランから供給する炭酸泉生成供給システムが提案されている。
【０００３】
風呂用炭酸泉生成システムとしては、例えば、以下の特許文献１に開示されたものがある。図１１に示すように、この風呂用炭酸泉生成システム６０は、温水循環配管６２及び温水循環ポンプ６３によって、浴槽６１内に貯留された温水を循環させながら、温水循環配管６２における温水循環ポンプ６３の吸込側に接続された炭酸ガス供給配管６４を介して炭酸ガスを供給し、温水循環ポンプ６３によって炭酸ガスと温水とを混合することで炭酸ガスを温水に溶解させて炭酸泉を生成し、これを浴槽６１内に供給するようになっている。なお、温水循環配管６２における温水循環ポンプ６３の吐出側には、アキュームレータ６５が接続されており、このアキュームレータ６５で未溶解の炭酸ガスを回収しながら、アキュームレータ６５に貯留された炭酸泉を浴槽６１に供給するようになっている。
【先行技術文献】
【特許文献】
【０００４】
【特許文献１】特開平０６−２６９４８３号公報
【発明の概要】
【発明が解決しようとする課題】
【０００５】
ところで、炭酸泉は、溶存炭酸ガス濃度が高ければ高いほど、その効果を発揮すると言われているが、上述したように、温水循環ポンプ６３の撹拌作用によって、炭酸ガスを温水に溶解させる風呂用炭酸泉生成システム６０では、炭酸ガスの溶解効率が悪く、大量の炭酸ガスを混合させながら、時間をかけて何回も温水を循環させなければ、高濃度の炭酸泉を生成することができないといった問題がある。
【０００６】
特に、温水供給配管の途中で炭酸ガスを温水に混合して溶解させながら、温水供給配管の端末に取り付けられたシャワーやカランから炭酸泉を供給する炭酸泉生成供給システムは、温水を循環させながら炭酸泉を生成するものではないので、高濃度の炭酸泉自体を生成することが難しいといった問題がある。
【０００７】
そこで、この発明の課題は、小量の炭酸ガスを用いて高濃度の炭酸泉を生成することができる、炭酸ガスの溶解効率に優れた炭酸ガス溶解器並びにその炭酸ガス溶解器を用いた風呂用炭酸泉生成システム及び炭酸泉生成供給システムを提供することにある。
【課題を解決するための手段】
【０００８】
上記の課題を解決するため、請求項１に係る発明は、炭酸ガスを温水に溶解させる炭酸ガス溶解器であって、温水を導入するための温水導入管と、前記温水導入管に接続された、炭酸ガスを導入するための炭酸ガス導入管と、前記温水導入管における前記炭酸ガス導入管の接続位置よりも下流側に接続された、炭酸ガスを温水に溶解させる溶解器本体と、前記溶解器本体によって炭酸ガスを溶解させた温水を導出するための温水導出管とを備え、前記溶解器本体は、連結された複数の溶解ユニットを有しており、前記溶解ユニットは、上流側に流入穴が、下流側に流出穴がそれぞれ形成され、前記流入穴から炭酸ガスと共に温水が流入した後、前記流出穴から流出する溶解処理室と、前記流出穴に連通するように、一端が前記溶解処理室内の下流側に接続され、他端が前記溶解処理室内において上流側に張り出す小径の流出管とを有していることを特徴とする炭酸ガス溶解器を提供するものである。
【０００９】
また、請求項２に係る発明は、請求項１に係る発明の炭酸ガス溶解器において、前記炭酸ガス導入管が、前記温水導入管における温水の流れ方向の下流側に向かって斜めに接続されていることを特徴としている。
【００１０】
また、上記の課題を解決するため、請求項３に係る発明は、浴槽に貯留された温水を循環させる温水循環路及び循環ポンプと、前記温水循環路の途中において、前記温水導入管が前記温水循環路の上流側に、前記温水導出管が前記温水循環路の下流側にそれぞれ接続された請求項１または２に記載の炭酸ガス溶解器と、前記炭酸ガス溶解器の前記炭酸ガス導入管に接続された炭酸ガスボンベとを備えていることを特徴とする風呂用炭酸泉生成システムを提供するものである。
【００１１】
また、上記の課題を解決するため、請求項４に係る発明は、末端にカランまたはシャワー装置が接続される温水供給管と、前記温水供給管の途中において、前記温水導入管が前記温水供給管の上流側に、前記温水導出管が前記温水供給管の下流側にそれぞれ接続された請求項１または２に記載の炭酸ガス溶解器と、前記炭酸ガス溶解器の前記炭酸ガス導入管に接続された炭酸ガスボンベとを備えていることを特徴とする炭酸泉生成供給システムを提供するものである。
【発明の効果】
【００１２】
以上のように、請求項１に係る発明の炭酸ガス溶解器は、溶解器本体が、連結された複数の溶解ユニットを有しており、それぞれの溶解ユニットは、上流側に流入穴が、下流側に流出穴がそれぞれ形成され、流入穴から炭酸ガスと共に温水が流入した後、流出穴から流出する溶解処理室と、流出穴に連通するように、一端が溶解処理室内の下流側に接続され、他端が溶解処理室内において上流側に張り出す小径の流出管とを有しているので、各溶解ユニットの溶解処理室内に流入穴から流入した炭酸ガス及び温水が、一旦その溶解処理室内の下流側まで移動した後、反転して上流側に戻って、小径の流出管から次の溶解処理室内に流入されるといった複雑な動きを、溶解ユニットの数だけ繰り返すことになる。
【００１３】
従って、温水と共にこの炭酸ガス溶解器に流入した炭酸ガスは、この炭酸ガス溶解器内で温水に効率よく溶解することになり、炭酸ガス導入管から導入される炭酸ガスが小量であっても、高濃度の炭酸泉を生成することができる。
【００１４】
炭酸ガス導入管が温水導入管に直角に接続されている場合は、炭酸ガスの供給圧をある程度高くしないと、温水導入管に炭酸ガスを導入することができず、炭酸ガスが温水導入管に一旦導入され始めると、必要以上の炭酸ガスが導入されてしまうので、炭酸ガスの使用量が多くなるが、請求項２に係る発明の炭酸ガス溶解器は、炭酸ガス導入管が、温水導入管における温水の流れ方向の下流側に向かって斜めに接続されているので、炭酸ガス導入管が温水導入管に直角に接続されている場合とは異なり、炭酸ガスの供給圧を徐々に上げていくことによって、炭酸ガスの導入量を徐々に増大させることができる。従って、必要最小限の炭酸ガスを安定して導入することが可能になり、炭酸ガスの使用量を最小限に抑えることができる。
【００１５】
また、請求項３に係る発明の風呂用炭酸泉生成システムは、浴槽に貯留された温水に炭酸ガスを導入しながら、炭酸ガスの溶解効率に優れた、請求項１または２に係る発明の炭酸ガス溶解器を通して循環させるようになっているので、少ない循環回数で、換言すれば、短時間で、高濃度の炭酸泉を浴槽に貯留することができ、しかも、炭酸ガスの導入量を抑えることができるので、経済的であると共に炭酸ガスボンベの交換回数も少なくなるという効果が得られる。
【００１６】
また、請求項４に係る発明の炭酸泉生成供給システムは、末端にカランまたはシャワー装置が接続される温水供給管の途中に、炭酸ガスの溶解効率に優れた、請求項１または２に係る発明の炭酸ガス溶解器が接続されているので、小量の炭酸ガスを用いて高濃度の炭酸泉を生成しながらカランまたはシャワーから供給することができる。
【図面の簡単な説明】
【００１７】
【図１】この発明に係る炭酸ガス溶解器を使用した風呂用炭酸泉生成システムの一実施形態を示す概略構成図である。
【図２】（ａ）は同上の炭酸ガス溶解器を示す平面図、（ｂ）は同上の炭酸ガス溶解器を示す側面図である。
【図３】図２（ａ）のＴ−Ｔ線に沿った断面図である。
【図４】（ａ）は同上の炭酸ガス溶解器を構成している溶解ユニットを示す平面図、（ｂ）は同上の溶解ユニットを示す一方の側面図、（ｃ）は同上の溶解ユニットを示す他方の側面図、（ｄ）は（ａ）のＵ−Ｕ線に沿った断面図である。
【図５】（ａ）は同上の炭酸ガス溶解器を構成している他の溶解ユニットを示す平面図、（ｂ）は同上の溶解ユニットを示す一方の側面図、（ｃ）は同上の溶解ユニットを示す他方の側面図、（ｄ）は（ａ）のＶ−Ｖ線に沿った断面図である。
【図６】この発明に係る炭酸ガス溶解器を使用した炭酸泉生成供給システムの一実施形態を示す概略構成図である。
【図７】（ａ）は同上の炭酸ガス溶解器を示す平面図、（ｂ）は同上の炭酸ガス溶解器を示す正面図、（ｃ）は同上の炭酸ガス溶解器を示す左側面図、（ｄ）は同上の炭酸ガス溶解器を示す右側面図である。
【図８】（ａ）は図７（ａ）のＷ−Ｗ線に沿った断面図、（ｂ）は図７（ａ）のＸ−Ｘ線に沿った断面図である。
【図９】（ａ）は図７（ｂ）のＹ−Ｙ線に沿った断面図である。
【図１０】（ａ）は同上の炭酸ガス溶解器を構成している仕切体を示す平面図、（ｂ）は同上の仕切体を示す一方の側面図、（ｃ）は同上の仕切体を示す他方の側面図、（ｄ）は（ａ）のＺ−Ｚ線に沿った断面図である。
【図１１】従来の風呂用炭酸泉生成システムを示す概略構成図である。
【発明を実施するための形態】
【００１８】
以下、実施の形態について図面を参照して説明する。図１は、この発明に係る風呂用炭酸泉生成システム１の概略構成を示している。この風呂用炭酸泉生成システム１は、同図に示すように、浴槽Ｂに貯留された温水を循環させる温水循環手段１０と、この温水循環手段１０が循環させている温水に導入する炭酸ガスを供給する炭酸ガス供給手段２０と、炭酸ガス供給手段２０によって供給される炭酸ガスを、温水循環手段１０が循環させている温水に混合して溶解させることで、炭酸泉を生成する炭酸ガス溶解器３０とを備えている。
【００１９】
前記温水循環手段１０は、浴槽の残り湯を洗濯機に移すために使用するバスポンプからなる温水循環ポンプ１１と、この温水循環ポンプ１１に接続して浴槽Ｂに貯留された温水を循環させる、上流側ホース１２ａ及び下流側ホース１２ｂからなる温水循環路１２とから構成されており、温水循環ポンプ１１は、温水循環路１２を形成しているホースの一端に接続し、温水が貯留されている浴槽Ｂ内に浸漬した状態で使用される。
【００２０】
炭酸ガス供給手段２０は、液化炭酸ガスが充填された炭酸ガスボンベ２１と、この炭酸ガスボンベ２１の接続口に取り付けられた、炭酸ガスの流量調整を行うためのレギュレータ２２と、炭酸ガスボンベ２１を、レギュレータ２２を介して、炭酸ガス溶解器３０に接続するガス供給チューブ２３とから構成されている。
【００２１】
前記炭酸ガス溶解器３０は、図２（ａ）、（ｂ）及び図３に示すように、温水を導入するための温水導入管３１と、この温水導入管３１に接続された、炭酸ガスを導入するための炭酸ガス導入管３２と、温水導入管３１における炭酸ガス導入管３２の接続位置よりも下流側に接続された、炭酸ガスを温水に溶解させる溶解器本体３３と、温水導入管３１、炭酸ガス導入管３２及び温水導出管３６の接続端を外部に突出させた状態で、溶解器本体３３を収容する筐体３７とを備えており、温水導入管３１、炭酸ガス導入管３２及び温水導出管３６の接続端には、上流側ホース１２ａ、ガス供給チューブ２３及び下流側ホース１２ｂがそれそれ接続されるようになっている。
【００２２】
前記炭酸ガス導入管３２は、一端が外部に突出するように筐体３７に取り付けられた、温水導入管３１よりも小径の上流管３２ａと、温水導入管３１に接続された、上流管３２ａと同径の下流管３２ｂと、上流管３２ａ及び下流管３２ｂを接続するチューブ３２ｃとから構成されており、下流管３２ｂは、温水導入管３１における温水の流れ方向の下流側に向かって、α＝４５度の角度で接続されている（図３参照）。
【００２３】
前記溶解器本体３３は、複数の溶解ユニットが直列に連結された上流側溶解ユニット群３３Ａと、複数の溶解ユニットが直列に連結された下流側溶解ユニット群３３Ｂとを備えており、上流側溶解ユニット群３３Ａと下流側溶解ユニット群３３Ｂとが、２個のエルボ３３Ｃを介して、筐体３７内でＵターンするような状態で、相互に連結されている。
【００２４】
前記上流側溶解ユニット群３３Ａ及び下流側溶解ユニット群３３Ｂを構成している各溶解ユニットは、上流側に流入穴ＩＨが、下流側に流出穴ＯＨがそれぞれ形成され、流入穴ＩＨから炭酸ガスと共に温水が流入した後、流出穴ＯＨから流出する溶解処理室３４と、流出穴ＯＨに連通するように、一端が溶解処理室３４内の下流側に接続され、他端が溶解処理室３４内において上流側に張り出す流出管３５とを備えており、流出管３５は温水導入管３１及び温水導出管３６と同一径で、溶解処理室３４の全長の半分弱の長さを有している。
【００２５】
前記上流側溶解ユニット群３３Ａを構成している各溶解ユニットは、図４（ａ）〜（ｄ）に示すように、溶解処理室３４を形成する大径（内径：１８ｍｍ、全長：２８ｍｍ）の円筒体ＢＰと、この円筒体ＢＰの外径と同一径のフランジＦが一端側に連設された、流出管３５となる小径（内径：８ｍｍ、フランジＦからの突出長さ：１２ｍｍ）の円筒体ＳＰとを、円筒体ＳＰが円筒体ＢＰから突出するような状態で、フランジＦが円筒体ＢＰの端面に接着固定されることによって一体化されたユニットピースＵＰ１を、小径の円筒体ＳＰが上流側を向くように相互に連結していくことによって形成されており、下流側溶解ユニット群３３Ｂを構成している各溶解ユニットは、図５（ａ）〜（ｄ）に示すように、溶解処理室３４を形成する大径（内径：１８ｍｍ、全長：２８ｍｍ）の円筒体ＢＰと、この円筒体ＢＰの外径と同一径のフランジＦが一端側に連設された、流出管３５を形成する小径（内径：８ｍｍ、フランジＦからの突出長さ：１２ｍｍ）の円筒体ＳＰとを、円筒体ＳＰが円筒体ＢＰ内に入り込むような状態で、フランジＦが円筒体ＢＰの端面に接着固定されることによって一体化されたユニットピースＵＰ２を、フランジＦ側が下流側を向くように相互に連結していくことによって形成されている。
【００２６】
なお、最上流側の溶解ユニットを構成しているユニットピースＵＰ１には、流出管３５となる短い円筒体ＳＰではなく、温水導入管３１となる長い円筒体ＳＰが使用されており、最下流側の溶解ユニットを構成しているユニットピースＵＰ２には、流出管３５と温水導出管３６とを兼用する長い円筒体ＳＰが使用されている。
【００２７】
以上のように、この風呂用炭酸泉生成システム１に採用されている炭酸ガス溶解器３０は、溶解器本体３３が、連結された複数の溶解ユニットを有しており、各溶解ユニットは、上流側に流入穴ＩＨが、下流側に流出穴ＯＨがそれぞれ形成され、流入穴ＩＨから炭酸ガスと共に温水が流入した後、流出穴ＯＨから流出する溶解処理室３４と、流出穴ＯＨに連通するように、一端が溶解処理室３４内の下流側に接続され、他端が溶解処理室３４内において上流側に張り出す小径の流出管３５とを備えているので、各溶解ユニットの溶解処理室３４内に流入穴ＩＨから流入した炭酸ガス及び温水が、一旦その溶解処理室３４内の下流側まで移動した後、反転して上流側に戻って、小径の流出管３５から次の溶解処理室３４内に流入されるといった複雑な動きを、溶解ユニットの数だけ繰り返すことになる。
【００２８】
従って、温水と共にこの炭酸ガス溶解器３０に流入した炭酸ガスは、この炭酸ガス溶解器３０内で温水に効率よく溶解することになり、炭酸ガス導入管３２から導入される炭酸ガスが小量であっても、高濃度の炭酸泉を生成することができる。
【００２９】
また、炭酸ガス導入管が温水導入管に直角に接続されている場合は、炭酸ガスの供給圧をある程度高くしないと、温水導入管に炭酸ガスを導入することができず、炭酸ガスが温水導入管に一旦導入され始めると、必要以上の炭酸ガスが導入されてしまうので、炭酸ガスの使用量が多くなるが、この炭酸ガス溶解器３０は、炭酸ガス導入管３２が、温水導入管３１における温水の流れ方向の下流側に向かって斜め（傾斜角度：４５度）に接続されているので、炭酸ガス導入管が温水導入管に直角に接続されている場合とは異なり、炭酸ガスの供給圧を徐々に上げていくことによって、炭酸ガスの導入量を徐々に増大させることができる。従って、必要最小限の炭酸ガスを安定して導入することが可能になり、炭酸ガスの使用量を最小限に抑えることができる。
【００３０】
図６は、この発明に係る炭酸泉生成供給システム２の概略構成を示している。この炭酸泉生成供給システム２は、温水供給配管の途中で炭酸ガスを温水に混合して溶解させながら、温水供給配管の端末に取り付けられたシャワーから炭酸泉を供給するようになっており、同図に示すように、末端にシャワー装置４４が接続される温水供給管４１と、この温水供給管４１の途中に接続されたバイパス管４２と、このバイパス管４２内を流れる温水に導入する炭酸ガスを供給する炭酸ガス供給手段２０と、バイパス管４２の途中に接続された炭酸ガス溶解器５０と、バイパス管４２における炭酸ガス溶解器５０の下流側の温水供給管４１との合流部に設けられた流路切換バルブ４３とを備えており、炭酸ガス溶解器５０が、炭酸ガス供給手段２０によって供給される炭酸ガスを、バイパス管４２内を流れる温水に混合して溶解させることで、炭酸泉を生成するようになっている。なお、炭酸ガス供給手段２０は、上述した風呂用炭酸泉生成システム１の炭酸ガス供給手段２０と同一構成ゆえ、同一構成要素には同一符号を付してその説明を省略する。
【００３１】
前記炭酸ガス溶解器５０は、図７（ａ）〜（ｄ）及び図９に示すように、温水を導入するための温水導入管５１と、この温水導入管５１に接続された、炭酸ガスを導入するための炭酸ガス導入管５２と、温水導入管５１における炭酸ガス導入管５２の接続位置よりも下流側に接続された、炭酸ガスを温水に溶解させる溶解器本体５３と、温水導入管５１、炭酸ガス導入管５２及び温水導出管５６の接続端を外部に突出させた状態で、溶解器本体５３を収容する筐体５７とを備えており、温水導入管５１の接続端はバイパス管４２の上流側に、温水導出管５６の接続端はバイパス管４２の下流側にそれぞれ接続されると共に、炭酸ガス導入管５２の接続端にはガス供給チューブ２３が接続されるようになっている。
【００３２】
前記炭酸ガス導入管５２は、図９に示すように、一端が外部に突出するように筐体５７に取り付けられた、温水導入管５１よりも小径の上流管５２ａと、温水導入管５１に接続された、上流管５２ａと同径の下流管５２ｂと、上流管５２ａ及び下流管５２ｂを接続するチューブ５２ｃとから構成されており、下流管５２ｂは、温水導入管５１における温水の流れ方向の下流側に向かって、α＝４５度の角度で接続されている。
【００３３】
前記溶解器本体５３は、複数の溶解ユニットが直列に連結された第１溶解ユニット群５３Ａ、第２溶解ユニット群５３Ｂ、第３溶解ユニット群５３Ｃ及び第４溶解ユニット群５３Ｄを備えており、第１〜４溶解ユニット群５３Ａ、５３Ｂ、５３Ｃ、５３Ｄが２個１組のエルボ５３Ｅを介して、筐体５７内で上下方向、横方向、上下方向にそれぞれＵターンするような状態で、相互に連結されている。
【００３４】
第１〜４溶解ユニット群５３Ａ、５３Ｂ、５３Ｃ、５３Ｄを構成している各溶解ユニットは、図８（ａ）、（ｂ）に示すように、上流側に流入穴ＩＨが、下流側に流出穴ＯＨがそれぞれ形成され、流入穴ＩＨから炭酸ガスと共に温水が流入した後、流出穴ＯＨから流出する溶解処理室５４と、流出穴ＯＨに連通するように、一端が溶解処理室５４内の下流側に接続され、他端が溶解処理室５４内において上流側に張り出す、温水導入管５１及び温水導出管５６と同径の流出管５５とから構成されており、具体的には、図８（ａ）、（ｂ）及び図１０（ａ）〜（ｄ）に示すように、内径３１ｍｍの塩化ビニルパイプＶＰを、その内径と略同一径の外径を有するフランジＦが、内径１３ｍｍ、全長３０ｍｍの円筒体ＳＰの一端側に連設された複数の仕切体ＰＭで区画することによって形成されている。
【００３５】
なお、第１溶解ユニット群５３Ａの最上流側に配設された仕切体は、図８（ａ）に示すように、流出管５５となる短い円筒体ＳＰではなく、温水導入管５１となる長い円筒体ＳＰが使用されていると共に、第４溶解ユニット群５３Ｄの最下流側に配設された仕切体は、同図（ｂ）に示すように、流出管５５と温水導出管５６とを兼用する長い円筒体ＳＰが使用されており、同図（ａ）、（ｂ）に示すように、第１溶解ユニット群５３Ａを構成している塩化ビニルパイプＶＰの上流側の端部及び第４溶解ユニット群５３Ｄの下流側の端部には、ソケットＳが嵌着されていると共に、温水導入管５１や温水導出管５６を形成している円筒体ＳＰに嵌挿された塩化ビニルパイプＶＰと同一外径の蓋部材ＣＭが仕切体ＰＭのフランジＦ及び塩化ビニルパイプＶＰの端面に接着固定されている。
【００３６】
以上のように、この炭酸泉生成供給システム２では、第１〜４の４つの溶解ユニット群５３Ａ、５３Ｂ、５３Ｃ、５３Ｄが直列に接続された、炭酸ガスの溶解効率に優れた炭酸ガス溶解器５０を使用しているので、流路切換バルブ４３をバイパス側に切り替えて炭酸ガス溶解器５０に温水を通しながら炭酸ガスを供給すると、小量の炭酸ガスを用いて高濃度の炭酸泉を生成しながらシャワーから供給することができる。
【００３７】
なお、この実施形態では、温水供給配管の端末にシャワーが取り付けられた炭酸泉生成供給システムについて説明したが、これに限定されるものではなく、例えば、端末にカランやシャワー付きカラン等が取り付けられたものであってもよいことはいうまでもない。
【００３８】
また、上述した各実施形態では、炭酸ガス導入管３２、５２が、温水導入管３１、５１における温水の流れ方向の下流側に向かって４５度の角度で接続されている炭酸ガス溶解器３０、５０を使用しているが、接続角度は４５度に限定されるものではなく、９０度であってもよい。ただし、温水導入管に対して温水の流れ方向の下流側に向かって炭酸ガス導入管を斜めに接続しておくと、必要最小限の炭酸ガスを安定して導入することができるので、少なくとも、斜めに接続しておくことが望ましい。
【産業上の利用可能性】
【００３９】
本発明は、炭酸泉を生成する場合に利用することができる。
【符号の説明】
【００４０】
１  風呂用炭酸泉生成システム
２  炭酸泉生成供給システム
１０  温水循環手段
１１  温水循環ポンプ
１２  温水循環路
１２ａ  上流側ホース
１２ｂ  下流側ホース
２０  炭酸ガス供給手段
２１  炭酸ガスボンベ
２２  レギュレータ
２３  ガス供給チューブ
３０、５０  炭酸ガス溶解器
３１、５１  温水導入管
３２、５２  炭酸ガス導入管
３２ａ、５２ａ  上流管
３２ｂ、５２ｂ  下流管
３２ｃ、５２ｃ  チューブ
３３、５３  溶解器本体
３３Ａ  上流側溶解ユニット群
３３Ｂ  下流側溶解ユニット群
５３Ａ  第１溶解ユニット群
５３Ｂ  第２溶解ユニット群
５３Ｃ  第３溶解ユニット群
５３Ｄ  第４溶解ユニット群
３３Ｃ、５３Ｅ  エルボ
３４、５４  溶解処理室
３５、５５  流出管
３６、５６  温水導出管
３７、５７  筐体
４１  温水供給管
４２  バイパス管
４３  流路切換バルブ
４４  シャワー装置
Ｂ  浴槽
ＵＰ１、ＵＰ２  ユニットピース
ＰＭ  仕切体
ＢＰ、ＳＰ  円筒体
Ｆ  フランジ
ＩＨ  流入穴
ＯＨ  流出穴
ＶＰ  塩化ビニルパイプ
Ｓ  ソケット
【図１】
2013150661.tif 000003
【図２】
2013150661.tif 000004
【図３】
2013150661.tif 000005
【図４】
2013150661.tif 000006
【図５】
2013150661.tif 000007
【図６】
2013150661.tif 000008
【図７】
2013150661.tif 000009
【図８】
2013150661.tif 000010
【図９】
2013150661.tif 000011
【図１０】
2013150661.tif 000012
【図１１】
2013150661.tif 000013